(57)【特許請求の範囲】
【請求項１】
長辺と短辺とを有する建物ユニットの上に載せられてこの建物ユニットとともにユニット式建物を構成する屋根ユニットであって、四隅が剛接合された底面パネルに、２本の柱とこれらの柱の上端間同士を剛接合で連結する上梁とを備えた鉛直面パネルが、前記２本の柱の下端を前記底面パネルに剛接合により連結されて側面Ｌ字状に配置され、これらの底面パネルと鉛直面パネルとの前記Ｌ字の先端間に、屋根構成部材を取り付ける傾斜面パネルがピン接合で架けわたされ、これらの各パネルで全体側面が三角形となっていることを特徴とするユニット式建物の屋根ユニット。
【請求項２】
請求項１に記載のユニット式建物の屋根ユニットにおいて、前記底面パネルは長辺と短辺とを有するとともに、この底面パネルの長辺寸法および短辺寸法は、前記建物ユニットの長辺寸法および短辺寸法とほぼ等しいことを特徴とするユニット式建物の屋根ユニット。
【請求項３】
長辺と短辺とを有する建物ユニットの上に載せられてこの建物ユニットとともにユニット式建物を構成する屋根ユニットであって、四隅が剛接合された底面パネルに、２本の柱とこれらの柱の上端間同士をピン接合で連結する上梁とを備えた鉛直面パネルが、前記２本の柱の下端を前記底面パネルにピン接合により連結されて側面Ｌ字状に配置され、これらの底面パネルと鉛直面パネルとの前記Ｌ字の先端間に、屋根構成部材を取り付ける傾斜面パネルがピン接合で架けわたされ、これらの各パネルで全体側面が三角形となっていることを特徴とするユニット式建物の屋根ユニット。
【請求項４】
請求項３に記載のユニット式建物の屋根ユニットにおいて、前記底面パネルは長辺と短辺とを有するとともに、この底面パネルの長辺寸法は、前記建物ユニットの短辺寸法とほぼ等しいことを特徴とするユニット式建物の屋根ユニット。
【請求項５】
長辺と短辺とを有する建物ユニットの上に載せられてこの建物ユニットとともにユニット式建物を構成する屋根ユニットであって、長辺と短辺とを備え四隅が剛接合された底面パネルと、この底面パネルの上方に底面パネルと平行かつそれぞれの長辺方向一端を揃えて配置された上面パネルと、この上面パネルの四隅から前記底面パネルへ向けて垂下された４本の柱と、前記上面パネルの長辺方向他端側から前記底面パネルの長辺方向他端部側に向けて架けわたされるとともに、上面に屋根構成部材が取り付けられ、かつ、前記上面パネルおよび底面パネルにピン接合によって架けわたされた傾斜面パネルとを備え、前記上面パネルはその長辺寸法が前記底面パネルの長辺寸法よりも短く形成されるとともに、その四隅が前記柱の上部にピン接合され、前記４本の柱のうち２本は、その下端が前記底面パネルの長辺方向一端部とそれぞれピン接合され、残り２本は、その下端が前記底面パネルの長辺方向途中でこの底面パネルの長辺梁とそれぞれピン接合され、全体側面が台形状に形成されていることを特徴とするユニット式建物の屋根ユニット。
【請求項６】
請求項５に記載のユニット式建物の屋根ユニットにおいて、前記底面パネルの長辺寸法は、前記建物ユニットの長辺寸法とほぼ等しく、短辺寸法は、前記建物ユニットの短辺寸法とほぼ等しいことを特徴とするユニット式建物の屋根ユニット。
【発明の詳細な説明】
【０００１】
【発明の属する技術分野】
本発明は、ユニット式建物の屋根ユニットに係り、３階を小屋裏として利用するユニット式建物の屋根に適用できる。
【０００２】
【背景技術】
工業化住宅としてのユニット式建物は、予め工場で生産された複数の建物ユニットを建設現場で組合わせることによって建てられている。
このようなユニット式建物の屋根は、通常、上階建物ユニットの上面に立てられた複数本の束で屋根パネルを支持する方式（束方式）と、立体的な三角屋根ユニットに屋根パネルを取り付ける方式（ユニット方式）とのいずれかによって形成される。
【０００３】
【発明が解決しようとする課題】
ところで、ユニット式建物において、小屋裏を３階として利用できるように建てたものがある。このようなユニット式建物の屋根を、前記束方式で形成しようとする場合、束間にはブレースが張られているためこのブレースが邪魔となり、小屋裏を充分に活用できないという問題がある。
また、前記ユニット方式の屋根では、立体的な三角屋根ユニットが溶接接合による剛接合となっておりきわめて剛性が大きい。従って、このような三角屋根ユニットで形成された屋根部の剛性と、小屋裏を形成する直方体状の三階建物ユニットの剛性とでは、剛性のバランスが三角屋根ユニット側に片寄るという問題があり、ユニット式建物全体の耐久性に影響を及ぼすおそれがあった。
【０００４】
本発明の目的は、小屋裏を充分に活用できるとともに、ユニット式建物の屋根部の剛性と、小屋裏三階を構成する建物ユニットの剛性とのバランスがとれるようになるユニット式建物の屋根ユニットを提供することにある。
【０００５】
【課題を解決するための手段】
本発明に係るユニット式建物の屋根ユニットは、図面を参照して説明すると、図１，３に示すように、長辺と短辺とを有する建物ユニット３等の上に載せられてこの建物ユニット３等とともにユニット式建物１を構成する屋根ユニット１０であって、四隅が剛接合Ｈされた底面パネル１１に、２本の柱とこれらの柱の上端間同士を剛接合Ｈで連結する上梁とを備えた鉛直面パネル１５が、２本の柱の下端を底面パネル１１に剛接合Ｈにより連結されて側面Ｌ字状に配置され、これらの底面パネル１１と鉛直面パネル１５とのＬ字の先端間に、屋根構成部材３６を取り付ける傾斜面パネル１８がピン接合Ｐで架けわたされ、これらの各パネル１１，１５，１８で全体側面が三角形となっていることを特徴とする。
【０００６】
以上において、剛接合Ｈとは、部材と部材の接合部分が堅固に一体となるような接合方法をいい、水平反力、垂直反力および曲げモーメントを生ずるものである。例えば、溶接、リベット打ち等による接合の他、フランジ部等を相手の部材に押し当てるとともにその両部材をボルト結合した場合のように、ボルト結合の場合でも実質剛接合となる場合は、剛接合Ｈとする。また、ピン接合Ｐとは、ピン等を使用した接合方法をいい、ボルト、ナットの螺合、または両部材間にピン部材を差し込んでそのピン部材を割りピンで止める等の接合が挙げられ、水平反力、垂直反力および曲げモーメントを生じないものをいう。また、小屋裏用建物ユニットの上梁の接合部は、ピン接合でもよく、剛接合でもよい。また、底面パネル、鉛直面パネル、傾斜面パネルの構成部材は、角型パイプ状部材、溝型状部材、Ｌ型状部材等を使用すると好適である。さらに、屋根ユニットは、所定幅のパネル状に形成された例えば２枚の屋根構成部材を、幅方向同士を並べて取り付けることができる長辺寸法を有していることが好ましい。
【０００７】
このような本発明では、屋根ユニットの鉛直面パネルは、２本の柱と上梁とで形成されておりブレース等が張られていないので、この屋根ユニットを例えば小屋裏を形成する三階建物ユニットに隣接させて配置したとき、屋根ユニットと建物ユニットとが連通されて自由に行き来でき、これにより、小屋裏を充分に活用できるようになる。また、傾斜面パネルは、底面パネルと鉛直面パネルとにピン接合で取り付けられているので、屋根ユニットの剛性が弱められ、これにより、屋根ユニットの柱にかかる荷重がピン接合の部位で吸収され、柱の変形を防止できる。その結果、ユニット式建物の屋根部と小屋裏三階建物ユニットットの剛性のバランスがとれるようになる。
【０００８】
本発明において、図２に示すように、屋根ユニット１０の底面パネルを長辺と短辺とを有するものとするとともに、この底面パネルの長辺寸法および短辺寸法を、建物ユニット３等の長辺寸法および短辺寸法とほぼ等しくしてもよい。
【０００９】
以上において、建物ユニット等の長辺寸法および短辺寸法は複数種の製作基準寸法（モジュール）に基づいており、屋根ユニットの長辺寸法および短辺寸法は、それぞれの建物ユニット等のモジュールに対応していることが好ましい。
このような本発明では、各建物ユニット等の大きさに対応する底面パネルを有する屋根ユニットを、それぞれの建物ユニットに設置すればよく、作業が容易となる。
【００１０】
本発明に係る他のユニット式建物の屋根ユニットは、図１，４に示すように、長辺と短辺とを有する建物ユニットの上に載せられてこの建物ユニットとともにユニット式建物を構成する屋根ユニット４０であって、四隅が剛接合Ｈされた底面パネル４１に、２本の柱とこれらの柱の上端間同士をピン接合Ｐで連結する上梁とを備えた鉛直面パネル４５が、２本の柱の下端を底面パネル４１にピン接合Ｐにより連結されて側面Ｌ字状に配置され、これらの底面パネル４１と鉛直面パネル４５とのＬ字の先端間に傾斜面パネル１８がピン接合Ｐで架けわたされ、これらの各パネル４１，４５，１８で全体側面が三角形となっていることを特徴とするものである。
【００１１】
以上において、屋根ユニットは、所定幅のパネル状に形成された例えば１枚の屋根構成部材を取り付けることができる幅寸法を有していることが好ましい。
このような本発明では、屋根ユニットの鉛直面パネルは、２本の柱と上梁とで形成されており、この屋根ユニットを例えば小屋裏を形成する建物ユニットに隣接させて配置したとき、ブレース等が張られていないので、建物ユニットと連通されて自由に行き来でき、これにより、小屋裏を充分に活用できるようになる。また、鉛直面パネルはピン接合で形成され、傾斜面パネルは底面パネルと鉛直面パネルとにピン接合で取り付けられるので、屋根ユニットの剛性が弱められ、これにより、屋根ユニットにかかる荷重がピン接合の部位で吸収されることとなり、柱の変形を防止できる。その結果、ユニット式建物の屋根部と小屋裏三階建物ユニットットの剛性のバランスがとれるようになる。
【００１２】
本発明において、図２に示すように、屋根ユニットの底面パネルは長辺と短辺とを有するものとするとともに、この底面パネルの長辺寸法を、建物ユニットの短辺寸法とほぼ等しくしてもよい。
このような本発明では、底面パネルの長辺寸法を、建物ユニットの短辺寸法に沿わせて配置できるので、複数の建物ユニットを長辺と短辺とを向き合わせて、つまり、直交配置させて建てるユニット式建物の屋根に用いることができ、これにより、変化に富んだユニット式建物とすることができる。
【００１３】
本発明に係るさらに他のユニット式建物の屋根ユニットは、図１，５に示すように、長辺と短辺とを有する建物ユニットの上に載せられてこの建物ユニットとともにユニット式建物を構成する屋根ユニット５０であって、長辺と短辺とを備え四隅が剛接合Ｈされた底面パネル５１と、この底面パネル５１の上方に底面パネル５１と平行かつそれぞれの長辺方向一端を揃えて配置された上面パネル５２と、この上面パネル５２の四隅から底面パネル５１へ向けて垂下された４本の柱１６と、上面パネル５２の長辺方向他端側から底面パネル５１の長辺方向他端部側に向けて架けわたされるとともに、上面に屋根構成部材が取り付けられ、かつ、上面パネル５２および底面パネル５１にピン接合Ｐによって架けわたされた傾斜面パネル１８とを備え、上面パネル５２はその長辺寸法が底面パネル５１の長辺寸法よりも短く形成されるとともに、その四隅が柱１６の上部にピン接合Ｐされ、４本の柱１６のうち２本は、その下端が底面パネル５１の長辺方向一端部とそれぞれピン接合Ｐされ、残り２本は、その下端が底面パネル５１の長辺方向途中でこの底面パネル５１の長辺梁とそれぞれピン接合Ｐされ、全体側面が台形状に形成されていることを特徴とする。
【００１４】
以上において、この台形状の屋根ユニットは、複数の建物ユニットを長辺と短辺とを向き合わせて、つまり、直交配置させて建てるユニット式建物の屋根を形成する際に用いることが好ましい。
【００１５】
このような本発明では、上面に側面三角形状の屋根ユニットを載せた建物ユニットに、他の建物ユニットを直交させて配置したときこの建物ユニットの上に台形状の屋根ユニットを載せることができ、この場合、台形状の屋根ユニットの上面パネルの下方を小屋裏として利用でき、変化に富んだ間取りのユニット建物とできる。また、台形状の屋根ユニットの柱間にはブレース等が張られていないので、建物ユニットと連通されて自由に行き来でき、これにより、小屋裏を充分に活用できるようになる。また、上面パネルはピン接合で形成されるとともに、この上面パネルはピン接合で底面パネルに取り付けられ、さらに、傾斜面パネルは上面パネルと底面パネルとにピン接合で取り付けられるので、屋根ユニットの剛性が弱められ、これにより、屋根ユニットにかかる荷重がピン接合の部位で吸収されることにより、柱の変形を防止できる。その結果、ユニット式建物の屋根部と小屋裏三階建物ユニットットの剛性のバランスがとれるようになる。
【００１６】
本発明において、図２に示すように、台形状の屋根ユニットの底面パネルの長辺寸法を、建物ユニット３等の長辺寸法とほぼ等しく、短辺寸法は、建物ユニット３等の短辺寸法とほぼ等しいものとしてもよい。
このような本発明では、台形状の屋根ユニットの底面パネルの長辺寸法を、建物ユニットの長辺寸法に沿わせて配置できる。そして、このとき上面パネルの下方空間を小屋裏とすることができる。従って、変化に富んだユニット式建物とすることができる。
【００１７】
【発明の実施の形態】
以下に本発明の一実施形態を図面に基づいて説明する。
図１に示すように、本実施形態のユニット式建物１は、複数の一階建物ユニット２と、これらの一階建物ユニット２の上に載置された複数の二階建物ユニット３を、図２に示すように配置して構成されている。このような二階建物ユニット３の上には、小屋裏４を形成する三階建物ユニット５と、三階建物ユニット５と隣接する第１の屋根ユニット１０、第２の屋根ユニット４０、第３の屋根ユニット５０が設けられ、これらの屋根ユニット１０，４０，５０には、屋根構成部材である屋根パネル３６が設けられている。
【００１８】
以上の各建物ユニット２，３は、図２５に示すように、それぞれ、四隅に立設される４本の柱６と、これらの柱６の上端間同士および下端間同士を結合する各４本の上梁７、下梁８とを有する骨組み９を備えている。そして、このような骨組み９に、図示しない内壁、外壁や天井面材、床面材等を取り付けることにより建物ユニット２等は完成される。また、このような建物ユニット２等の高さ寸法はＨ1 となっており、この高さ寸法Ｈ1 が標準高さとなっている。
また、図２５に仮想線で示すように、三階建物ユニット５は、本実施形態では、上記建物ユニット２等の柱６よりも高さ寸法が低い柱６’を有し、全体高さ寸法がＨ2 となった骨組み９’であるが、全体構造は建物ユニット２等とまったく同じとなっている。そして、これらの建物ユニット２，３，５の骨組み９、９’は、溶接による接合である剛接合Ｈとなっている。
【００１９】
図２に示すように、ユニット式建物１は、平面３つの建物ユニット２，２，２および３，３，３の上に設けられた第１のユニット群Ａを、建物ユニット３等の短辺寸法と等しい寸法だけ間隔をあけて２列に配置して構成されている。
この第１のユニット群Ａは、三階建物ユニット５と、この三階建物ユニット５を挟んで両隣りに配置された側面が三角形状の本発明に係る第１屋根ユニット１０とで構成されている。
【００２０】
これらの第１のユニット群Ａの間には、長辺が上記第１のユニット群Ａの２つの建物ユニット３等の短辺と対向して、つまり直交配置された一階建物ユニット２Ａと二階建物ユニット３Ａとの上に設けられた第２のユニット群Ｂと、平面ほぼ正方形の一階建物ユニット２Ｃと二階建物ユニット３Ｃとの上に設けられた第３のユニット群Ｃが配置されている。
第２のユニット群Ｂは、前記第１屋根ユニット１０の長辺寸法のほぼ半分となった幅寸法の、つまり、底面パネルがほぼ正方形となった屋根ユニット４０で形成され、また、第３のユニット群Ｃは、台形状の屋根ユニット５０で形成されている。
【００２１】
第１屋根ユニット１０は、図３，６に示すように、平面四角形の底面パネル１１を備えている。この底面パネル１１は、四隅に仕口１２を介して、例えばチャンネル材等でなる各２本づつの長辺下梁１３Ａと短辺下梁１３Ｂとを枠組みして形成されている。さらに、長辺下梁１３Ａ間には中間梁１３Ｃが架けわたされている。そして、これらの長辺下梁１３Ａ、短辺下梁１３Ｂと仕口１２とは溶接により接合されている。つまり、図３に塗りつぶした三角マークで示すように、剛接合Ｈとなっている。
このような底面パネル１１の長辺寸法は、建物ユニット３等の長辺寸法とほぼ等しい寸法となっており、短辺寸法は、建物ユニット３等の短辺寸法とほぼ等しい寸法となっている。
【００２２】
底面パネル１１の長辺下梁１３Ａ側には、鉛直面パネル１５が、底面パネル１１との間で側面がＬ字となるように取り付けられている。
すなわち、鉛直面パネル１５は、例えば角パイプ等で形成された２本の柱１６と、これらの柱１６の上端間同士を、仕口１４を介して前記剛接合Ｈで連結する上梁１７とを備えて形成されている。そして、２本の柱１６の下端部は、底面パネル１１の前記仕口１２上面に、剛接合Ｈで連結されている。
【００２３】
Ｌ字の先端、すなわち、底面パネル１１の一端と鉛直面パネル１５の上端間には、傾斜面パネル１８が、図７に示す方式と同様に落とし込みにより取り付けられるようになっている。そして、傾斜面パネル１８が取り付けられたとき、その傾斜は、ユニット式建物１の屋根の傾斜とほぼ同じとなっている。
このような傾斜面パネル１８は、例えば四角形状に枠組みした溝型鋼状部材１９に複数本の野縁２０を取り付けた枠体２１を備えて形成され、第１屋根ユニット１０には、このような傾斜面パネル１８が２つ並設して取り付けられるようになっている。
【００２４】
このような第１屋根ユニット１０において、傾斜面パネル１８の落とし込みによる接合は、傾斜面パネル１８の長辺方向両端部を、図９，１０に示すように、ピン接合Ｐで底面パネル１１の一端と鉛直面パネル１５とに接合して行われている。
すなわち、仕口１４の傾斜面パネル１８側の側面には、例えば断面コ字状のブラケット２３が開口を下向きにして固着され、一方、傾斜面パネル１８の枠体２１の上端には、断面Ｌ字状かつＬ字の両外側に三角形状の側板で、塵取り部材状に形成された取り付け部材２４が固着されている。この取り付け部材２４はブラケット２３に被さる大きさとされている。そして、ブラケット２３には斜め上方に延びる位置決めピン２５が取り付けられており、取り付け部材２４には位置決めピン２５用の貫通孔（図略）が明けられている。また、ブラケット２３の裏面には、予めナット２６が固着されており、このナット２６には、取り付け部材２４側から差し込まれた例えば２本のボルト２７が螺合され、これにより、鉛直面パネル１５と傾斜面パネル１８との接合が行われることになる。つまり、このような接合がピン接合Ｐである。
【００２５】
底面パネル１１と傾斜面パネル１８との接合は、図１０に示すように、ピン接合Ｐにより行われている。
すなわち、仕口１２の上面に四角形状のベースプレート２９が固着されており、このベースプレート２９に、傾斜面パネル１８の傾斜とほぼ同じ傾斜となった上面部を有するブラケット３０が、Ｌ字状の先端を鉛直面パネル１５の先端側に向けて、かつ、リブ３１で補強されて取り付けられている。
【００２６】
一方、傾斜面パネル１８の枠体２１を構成する縦方向の溝型部材１９の下端には、外側側面のみ開口した取付ボックス３２が取り付けられている。この取付ボックス３２の下面部の広さは、前記ブラケット３０の傾斜上面部の広さとほぼ同じ大きさとなっている。また、取付ボックス３２の下面部には、傾斜方向に長い長孔３２Ａが形成され、ブラケット３０の傾斜上面部にはボルト孔が明けられている。そして、取付ボックス３２をブラケット３０の上面に載せ、ボルト３３を長孔３２Ａ側から差し込み、ブラケット３０の裏面側でナットに螺合させることにより、底面パネル１１と傾斜面パネル１８との接合をピン接合Ｐで行うようになっている。
【００２７】
また、第１屋根ユニット１０には、前述のように２枚の屋根パネル３６が取り付けられるため、屋根ユニット１０の長辺方向中央部には、２枚の屋根パネル３６を同時に支持できる構造のピン接合Ｐとなっている。そして、その構造は、図９で説明した構造とほぼ同じとなっている。
すなわち、傾斜面パネル１８の枠体２１を構成する溝型部材１９の中央側端部に、前記取付部材２４が固着されている。一方、鉛直面パネル１５の上梁１７には、溝型状の支持部材３５が固着されており、この支持部材３５に２個の前記ブラケット２３が固着されている。そして、前述と同様に、取付部材２４を位置決めピン２５にガイドさせて載せるとともに、ボルト２７を差し込み、そのボルト２７をブラケット２３の裏面のナットと螺合させることにより、取り付けるようになっている。
【００２８】
底面パネル１１と傾斜面パネル１８との接合で長辺方向中央部の接合も、前述した両端部の接合と同様、ピン接合Ｐにより行われている。
すなわち、図１２に示すように、中央部には、２枚の傾斜面パネル１８の端部が集まっており、両者を同時に取り付けられるようにブラケット３０’が形成されている。このブラケット３０’は、２枚の傾斜面パネル１８のそれぞれの前記取付ボックス３２を載せることのできる傾斜上面部を有し、複数枚のリブ３１’で補強されている。そして、このような取付ボックス３２は、底面パネル１１の長辺下梁１３Ａの長辺方向ほぼ中央部上面に、ベースプレート２９’を介して取り付けられている。
【００２９】
第２の屋根ユニット４０は、図４，７に示すように、平面ほぼ正方形状の底面パネル４１と、この底面パネル４１と側面Ｌ字となるように取り付けた鉛直面パネル４５と、前記傾斜面パネル１８とを備え、側面形状は第１の屋根ユニット１０とほぼ同じの三角形状となっている。ただし、この第２の屋根ユニット４０の幅方向（短辺下梁４３Ｂの長さ方向）の寸法が、第１の屋根ユニット１０の長辺寸法のほぼ半分の寸法となっている。そして、この第２の屋根ユニット４０では、底面パネル４１において傾斜面パネル１８の傾斜方向が長辺となっており、従って、この方向に長辺下梁４３Ａが設けられている。また、底面パネル４１の四隅は、剛接合Ｈにより結合されている。
【００３０】
ここで、このような底面パネル４１の長辺寸法は、建物ユニット３Ｃ等の長辺寸法とほぼ等しい寸法となっており、短辺寸法は、建物ユニット３Ｃ等の短辺寸法とほぼ等しい寸法となっている。建物ユニット３Ｃは、平面ほぼ正方形となっているので、底面パネル４１は、実質平面ほぼ正方形である。
【００３１】
鉛直面パネル４５は、前記２本の柱１６と、これらの柱１６の上端間同士を、ピン接合Ｐで連結する上梁４７とを備えて形成されている。
そして、底面パネル４１の一端と鉛直面パネル４５の上端間には、傾斜面パネル１８が落とし込みにより取り付けられるようになっている。この第２の屋根ユニット４０では、底面パネル４１と鉛直面パネル４５とに、１つの傾斜面パネル１８がピン接合Ｐにより設けられている。
【００３２】
第２の屋根ユニット４０の鉛直面パネル４５において、柱１６と上梁４７とのピン接合Ｐの構造は、図１３，１４に示すように、柱１６の側面に上梁４７の長手方向に突出する長方形状の支持板４３が固着されている。一方、上梁４７の端部には、平面Ｌ字状の取付板４４が支持板４３と当接可能に固着され、この取付板４４の裏面には、上下方向に２個のナット４６が予め溶接されている。そして、支持板４３側からボルト４８を差し込むとともに、ナット４６と螺合させることにより、柱１６と上梁４７との接合が行われることになる。
【００３３】
また、第２の屋根ユニット４０において、鉛直面パネル４５と底面パネル４１とのピン接合Ｐの構造は、図１５に示される。
すなわち、鉛直面パネル４５の柱１６の下面にベースプレート４２が固着されており、このようなベースプレート４２は底面パネル４１の仕口１２の上面に載せられるようになっている。そして、柱１６の下端かつ傾斜面パネル１８側の側面には、手を差し込める程度の大きさの開口部１６Ａが形成されている。また、ベースプレート４２と仕口１２とには、例えば２つの図示しないボルト孔が明けられ、開口部１６Ａからボルト４８を差し込み、仕口１２の内部でナットと螺合させることにより、鉛直面パネル４５と底面パネル４１とのピン接合が行われることになる。
【００３４】
このように接合された鉛直面パネル４５と底面パネル４１とに架けわたされる傾斜面パネル１８のピン接合Ｐは、第１の屋根ユニット１０における傾斜面パネル１８の接合と同一となっている。
すなわち、鉛直面パネル４５と傾斜面パネル１８との接合は、図９に示すように、底面パネル４１と傾斜面パネル１８との接合は、図１０に示すように、それぞれ行われる。
【００３５】
第３の屋根ユニット５０は、図５，８に示すように、平面四角形状の底面パネル５１と、この底面パネル５１の上方に底面パネル５１と平行に配置される上面パネル５２とを備え、これらのパネル５１，５２は、４本の前記柱１６で接合されている。そして、上面パネル５２の側面から底面パネル５１の一端に向けて前記傾斜面パネル１８が架けわたされ、これらのパネル５１，５２，１８および柱１６で側面台形状に形成されている。
【００３６】
底面パネル５１は、前記各底面パネル１１，４１と同様に、四隅が仕口１２を介して剛接合Ｈされ、各２本づつの長辺下梁５３Ａと短辺下梁５３Ｂとを枠組みして形成されている。さらに、長辺下梁５３Ａ間には中間梁５４が架けわたされている。
そして、このような底面パネル５１の長辺寸法は、図１に示すように、２つの建物ユニット３等の短辺寸法を合計した寸法とほぼ同じとなっている。また、短辺寸法は建物ユニット３等の短辺寸法とほぼ等しく形成されている。
【００３７】
上面パネル５２は、各２本づつの長辺上梁５５Ａと短辺上梁５５Ｂとを枠組みして形成され平面ほぼ正方形となっている。つまり、上面パネル５２の長辺寸法が底面パネル５１の長辺寸法より短く形成されていることになる。なお、２本の長辺上梁５５Ａ間には補強梁５５Ｃが架けわたされている。
この上面パネル５２の長辺上梁５５Ａと短辺上梁５５Ｂとは、図５に示すように、ピン接合Ｐで柱１６に接合され、また、底面パネル５１と柱１６、および傾斜面パネル１８の取り付けもピン接合Ｐで行われるようになっている。
【００３８】
上面パネル５２の長辺上梁５５Ａと短辺上梁５５Ｂとの柱１６へのピン接合Ｐは、図１６，１７に詳細を示すように、柱１６に支持板４３、長辺上梁５５Ａと短辺上梁５５Ｂとに取付板４４をそれぞれ取り付け、これらをボルト４８、ナット４６の螺合で接合するようになっている。つまり、図１３で説明した第２の屋根ユニット４０の柱１６と鉛直面パネル４５とのピン接合Ｐとまったく同じである。
【００３９】
また、４本の柱１６のうち外側の柱１６Ａと底面パネル５１とのピン接合Ｐは、前述した図１５と同じ構造で行われる。従って、説明は省略する。
４本の柱１６のうち傾斜面パネル１８側の柱１６Ｂと底面パネル５１とのピン接合Ｐは、図１９，２０に示す構造で行われる。すなわち、柱１６Ｂの下端に断面コ字状のブラケット５６が固着されており、このようなブラケット５６を底面パネル５１の長辺下梁５３Ａの上に、コ字の開口を内側、つまり、もう一本の長辺下梁５３Ａ側に向けて配置されている。そして、ブラケット５６の内部には、補強リブ５７が設けられている。
【００４０】
一方、長辺下梁５３Ａの上記ブラケット５６が載せられる部位には、取付板５８が内側に突出して固着され、この取付板５８に前記中間梁５４が、ボルト、ナット４８，４６の螺合により取り付けられている。また、長辺下梁５３Ａの取付板５８と対向する位置には、補強リブ５９が設けられている。従って、これら取付板５８と補強リブ５９とで、ブラケット５６の大きさのボックス部が形成され、その結果、上面パネル５２の荷重を支持できる強度に形成されている。
【００４１】
前述のように、傾斜面パネル１８も上面パネル５２と底面パネル５１とにピン接合Ｐされるが、その構造は、図９，１０で説明したものと同じなので、説明は省略する。そして、この第３の屋根ユニット５０の傾斜面パネル１８の傾斜も、前記各屋根ユニット１０，４０の傾斜面パネル１８の傾斜と同様の傾斜となっている。
なお、以上の第２の屋根ユニット４０および第３の屋根ユニット５０において、第１の屋根ユニット１０で使用したと同一部材には同一符号を付すとともに、その詳細な説明は省略または簡略化してある。
【００４２】
前記屋根パネル３６は、例えば図６に示すように、建物ユニット３等の短辺寸法とほぼ等しい幅寸法に形成されており、第１の屋根ユニット１０の場合には、図６のＡ〜Ｄ地点にパネル受けブラケット６１等を介して設けられる。ここで、図７に示す第２の屋根ユニット４０、第３の屋根ユニット５０への屋根パネル３６の取り付けは図示しないが、以下に説明する第１の屋根ユニット１０への取り付けとほぼ同じなので、説明は省略する。
【００４３】
屋根パネル３６は、図２１〜２３に示すように、例えば軽量鉄骨部材で枠組みした枠体３７に、屋根仕上げ材３８等を張付けて形成されており、このような屋根パネル３６を複数枚順次並設することにより、ユニット式建物１の屋根３９が形成されるようになっている。
【００４４】
図２１は、図６のＡ地点での屋根パネル３６の支持であり、パネル受けブラケット６１は、三階建物ユニット５の上面と第１の屋根ユニット１０の上面とに跨がったベースプレート６２を備えて形成されている。このベースプレート６２は、平面四角形状となっており、その上面に、平面コ字状となった支持部材６３がコ字状の開口を内側に向けて固着されている。この支持部材６３の上部は、屋根パネル３６の傾斜とほぼ同じ傾斜に形成されており、この上部に平面四角形状の取り付けプレート６４が固着されている。
【００４５】
一方、三階建物ユニット５の上面および第１の屋根ユニット１０の上面には、ガイドピン６５がそれぞれ突設されている。従って、パネル受けブラケット６１は、ベースプレート６２に明けられたガイド孔（図略）をガイドピン６５に差し込むことにより位置決めされ、さらに、ボルト、ナット６６で三階建物ユニット５および第１の屋根ユニット１０に固定されるようになっている。
また、屋根パネル３６のパネル受けブラケット６１への取り付けは、パネル受けブラケット６１の取り付けプレート６４に明けられたボルト孔（図略）と、屋根パネル３６の枠体３７下面に明けられたボルト孔（図略）とを利用して、ボルト、ナット６６の螺合で行われるようになっている。
【００４６】
図２２は、図６のＢ地点での屋根パネル３６の支持であり、パネル受けブラケット７１は、三階建物ユニット５の上面と第１の屋根ユニット１０の上面とに跨がったベースプレート７２を備えて形成されている。このベースプレート７２は、平面四角形状となっており、その上面に、平面コ字状となった２枚の支持部材７３がコ字状の開口を互いに外側に向けて、つまり背中合わせで固着されている。これらの支持部材７３の上部は、屋根パネル３６の傾斜とほぼ同じ傾斜に形成され、この上部に平面四角形状の取り付けプレート７４が固着されている。
【００４７】
一方、三階建物ユニット５の上面および第１の屋根ユニット１０の上面には、ガイドピン（図略）がそれぞれ突設されている。従って、パネル受けブラケット７１は、ベースプレート７２に明けられたガイド孔（図略）をガイドピンに差し込むことにより位置決めされ、さらに、ボルト、ナット６６で三階建物ユニット５および第１の屋根ユニット１０に固定されるようになっている。また、屋根パネル３６のパネル受けブラケット７１への取り付けは、パネル受けブラケット７１の取り付けプレート７４に明けられたボルト孔（図略）と、屋根パネル３６の枠体３７下面に明けられたボルト孔（図略）とを利用して、ボルト、ナット６６の螺合で行われるようになっている。
【００４８】
なお、三階建物ユニット５の上梁７には補強梁７５が設けられており、パネル受けブラケット７１からの荷重に耐えられる構造となっている。また、パネル受けブラケット７１には、２枚の屋根パネル３６が支持されるようになっており、各屋根パネル３６は、それぞれ背中合わせの支持部材７３の上方に配置されるようになっている。
【００４９】
図２３は、図６のＣ地点での屋根パネル３６の支持であり、パネル受けブラケット８１は、第１の屋根ユニット１０の傾斜面パネル１８の先端に設けられている取付ボックス３２に取り付けられている。パネル受けブラケット８１は、ボルト、ナット６６で固着される断面Ｌ字状の支持部材８２と、その幅方向両端に固着された２枚の補強リブ８３とを備えて形成され、このようなパネル受けブラケット８１に、屋根パネル３６が前記Ａ，Ｂ地点での取り付けと同じように、ボルト、ナット６６で取り付けられている。
また、図６のＤ地点での屋根パネル３６の支持は、図示しないが、図２３におけるパネル受けブラケット８１の幅方向寸法を例えば２倍にしたパネル受けブラケットを設け、このパネル受けブラケットで２枚の屋根パネル３６を支持できるようになっている。
【００５０】
図２１〜２３に示すように、このような第１の屋根ユニット１０が、三階建物ユニット５とともに、二階建物ユニット３の上に設けられた後、屋根パネル３６の下方には小屋裏用天井面材８５等が張り付けられて小屋裏４が形成されるようになっている。小屋裏４には、適宜、間仕切り壁８６等を設けてもよい。なお、三階建物ユニット５および第１〜３の屋根ユニット１０，４０，５０の二階建物ユニット３への取り付けは、図示しないが、二階建物ユニット３の柱の上面に設けられる連結プレート等を介して行われるようになっている。
そして、各屋根ユニット１０，４０，５０と三階建物ユニット５とを組み合わせたとき、図２４に示すようなユニット式建物１の小屋裏４が形成されるようになっている。
【００５１】
次に、本実施形態の作用を説明する。
予め工場で生産された各建物ユニット２，３、三階建物ユニット５、および各屋根ユニット１０，４０，５０を現場に輸送し、一階建物ユニット２から二階建物ユニット３と順次組み合わせる。このとき、各屋根ユニット１０，４０，５０は、剛接合Ｈ、ピン接合Ｐの組み合わせでそれぞれ形成されている。そして、二階建物ユニット３の上に、連結プレート等を介して三階建物ユニット５、各屋根ユニット１０，４０，５０を、図２のように配置して固定する。
【００５２】
その後、各屋根ユニット１０，４０，５０と三階建物ユニット５とに、パネル受けブラケット６１，７１，８１等を取り付けるとともに、これらのブラケット６１，７１，８１等に複数の屋根パネル３６を順次取り付け、屋根３９を形成する。一方、三階建物ユニット５、各屋根ユニット１０，４０，５０の内部に、小屋裏４用の天井面材８５や間仕切り壁８６等を取り付け、さらに内部仕上げを行い、小屋裏４を完成させる。
【００５３】
前述のような本実施の形態によれば次のような効果がある。
すなわち、第１〜３の屋根ユニット１０，４０，５０にはブレースが張られていないので、これらを三階建物ユニット５と隣接させたとき、互いの内部を自由に出入りでき、これにより、小屋裏４の充分な活用が図れる。
【００５４】
また、第１〜３の屋根ユニット１０，４０，５０の構成部材は、剛接合Ｈとピン接合Ｐとで接合されているので、屋根ユニット１０等の剛性が弱められ、これにより、各屋根ユニット１０，４０，５０の柱１６にかかる荷重がピン接合Ｐの部位で吸収されることとなり、柱１６の変形を防止できる。その結果、ユニット式建物１において、屋根部と小屋裏三階建物ユニットとの剛性のバランスがとれるようになる。
【００５５】
さらに、第３の屋根ユニット５０は、上面に第１の屋根ユニット１０等を載せた建物ユニット３等に他の建物ユニットを直交させて配置したとき、この建物ユニットの上に載せることができ、この場合、台形状の第３の屋根ユニット５０の上面パネルの下方を小屋裏として利用でき、これにより、変化に富んだ間取りのユニット建物とできる。
【００５６】
なお、本発明は前述の実施形態に限定されるものではなく、本発明の目的を達成できる範囲であれば次に示すような変形形態を含むものである。
例えば、前記実施形態では、直交配置された建物ユニット３，３Ａ，３Ｃの上に、第１〜３ユニット群Ａ，Ｂ，Ｃを取り付けて、図２に示すような配置のユニット式建物１としたが、これに限らず、図２６に示すように、３個ずつの建物ユニット３等の上に、第１ユニット群Ａだけを取り付けたユニット式建物１’としてもよい。このような実施形態でも、前記実施形態による各効果を得ることができる。
【００５７】
また、図２に示す配置に建物ユニット３を同じ向きで１個増やして４個ずつのユニット群を構成し、このユニット群の間に建物ユニット３Ａを２個直交配置させた後、この建物ユニット３Ａの上に前記第３の屋根ユニット５０を載せたユニット式建物としてもよい。
【００５８】
さらに、図２に示す配置に建物ユニット３を同じ向きで１個増やして４個ずつのユニット群を構成し、このユニット群の間に、中央に建物ユニット３Ａを配置するとともに、その両側に建物ユニット３Ｃを配置し、建物ユニット３Ａの上に前記第３の屋根ユニット５０を載せ、建物ユニット３Ｃの上に前記第２の屋根ユニット４０を載せたユニット式建物としてもよい。
【００５９】
また、前記実施形態では、三階建物ユニット５の骨組み９’を剛接合Ｈとしたが、これに限らず、例えば図２７に示すように、建物ユニット５’の骨組み９''の上梁７のうち短辺７Ａのみを、ピン接合Ｐで接合し、このような建物ユニット５’と小屋裏三階建物ユニット５’とを組み合わせてもよい。
このようにしても、三階建物ユニット５’と各屋根ユニット１０，４０．５０との剛性のバランスをとることができる。
【００６０】
【発明の効果】
以上に説明したように、本発明のユニット式建物の屋根ユニットによれば、屋根ユニットの鉛直面にはブレース等が張られておらず、この屋根ユニットを、例えば小屋裏を形成する建物ユニットに隣接させて配置したとき、屋根ユニットと建物ユニットとが連通されるので、自由に行き来でき、これにより、小屋裏を充分に活用できるようになる。また、屋根ユニットの構成部材は、剛接合とピン接合とで接合されているので、屋根ユニットの剛性が弱められ、これにより、屋根ユニットの柱にかかる荷重がピン接合の部位で吸収され、柱の変形を防止できる。その結果、ユニット式建物の屋根部の剛性と小屋裏を構成する建物ユニットの剛性とのバランスがとれるようになる。
【図面の簡単な説明】
【図１】本発明の一実施形態に係るユニット式建物を示す全体斜視図である。
【図２】図１の平面を示す図である。
【図３】本実施形態の第１の屋根ユニットの接合状態を示す概略図である。
【図４】本実施形態の第２の屋根ユニットの接合状態を示す概略図である。
【図５】本実施形態の第３の屋根ユニットの接合状態を示す概略図である。
【図６】本実施形態の第１の屋根ユニットの骨組みの詳細を示す全体斜視図である。
【図７】本実施形態の第２の屋根ユニットの骨組みの詳細を示す全体斜視図である。
【図８】本実施形態の第３の屋根ユニットの骨組みの詳細を示す全体斜視図である。
【図９】本実施形態の傾斜面パネルにおける上部のピン接合を示す側面図である。
【図１０】本実施形態の傾斜面パネルにおける下部のピン接合を示す斜視図である。
【図１１】本実施形態の傾斜面パネルにおける上部のピン接合を示す斜視図である。
【図１２】本実施形態の傾斜面パネルにおける下部のピン接合を示す斜視図である。
【図１３】本実施形態の屋根ユニットの鉛直面パネルのピン接合を示す平面図である。
【図１４】図13におけるＥ−Ｅ線断面図である。
【図１５】本実施形態の屋根ユニットの鉛直面パネルと底面パネルとのピン接合を示す斜視図である。
【図１６】本実施形態の屋根ユニットの上面パネルのピン接合を示す平面図である。
【図１７】本実施形態の屋根ユニットにおける上面パネルの傾斜面パネル側のピン接合を示す平面図である。
【図１８】本実施形態の屋根ユニットの上面パネルと傾斜面パネルとのピン接合を示す側面図である。
【図１９】本実施形態の屋根ユニットの上面パネルと底面パネルとのピン接合を示す一部断面の側面図である。
【図２０】図19におけるＦ矢視図である。
【図２１】本実施形態の屋根ユニットに屋根パネルを取り付けた状態を示す側面図である。
【図２２】本実施形態の屋根ユニットに屋根パネルを取り付けた状態を示す側面図である。
【図２３】本実施形態の屋根ユニットに屋根パネルを取り付けた状態を示す側面図である。
【図２４】図２におけるＧ−Ｇ線断面図である。
【図２５】本実施形態の一階、二階建物ユニットおよび三階建物ユニットの骨組みを示す全体斜視図である。
【図２６】本発明に係る変形形態のユニット式建物の平面を示す図である。
【図２７】本発明に係る変形形態の三階建物ユニットを示す全体斜視図である。
【符号の説明】
１  ユニット式建物
４  小屋裏
５  小屋裏三階建物ユニット
１０  第１の屋根ユニット
１１，４１，５１  底面パネル
１５，４５  鉛直面パネル
１８  傾斜面パネル
３６  屋根構成部材である屋根パネル
４０  第２の屋根ユニット
５０  第３の屋根ユニット
５２  上面パネル
６１，７１，８１  パネル受けブラケット
８５  小屋裏用天井面材
Ｈ  剛接合
Ｐ  ピン接合
【図１】
0003703916.tif 000002
【図２】
0003703916.tif 000003
【図３】
0003703916.tif 000004
【図４】
0003703916.tif 000005
【図５】
0003703916.tif 000006
【図６】
0003703916.tif 000007
【図７】
0003703916.tif 000008
【図８】
0003703916.tif 000009
【図９】
0003703916.tif 000010
【図１０】
0003703916.tif 000011
【図１１】
0003703916.tif 000012
【図１２】
0003703916.tif 000013
【図１３】
0003703916.tif 000014
【図１４】
0003703916.tif 000015
【図１５】
0003703916.tif 000016
【図１６】
0003703916.tif 000017
【図１７】
0003703916.tif 000018
【図１８】
0003703916.tif 000019
【図１９】
0003703916.tif 000020
【図２０】
0003703916.tif 000021
【図２１】
0003703916.tif 000022
【図２２】
0003703916.tif 000023
【図２３】
0003703916.tif 000024
【図２４】
0003703916.tif 000025
【図２５】
0003703916.tif 000026
【図２６】
0003703916.tif 000027
【図２７】
0003703916.tif 000028